(57)【要約】【課題】通水路に洗浄水を吐出して円滑に且つ勢い良く旋回させることができ、更に吐水ユニットのメンテナンス性を高めることのできる水洗便器を提供する。【解決手段】本発明の水洗便器は、ボウル１０１と、ボウル１０１の上縁部に設けられる通水路１０２と、通水路１０２内に洗浄水を吐出する吐水ユニット４０１と具備する。吐水ユニット４０１は、筒部４０６及びこれの下流側に接続されるノズル部４０７を備える。ノズル部４０７は、筒部４０６から洗浄水が流入する流入方向Ｄ１と、通水路１０２内に洗浄水を吐出する吐出方向Ｄ２とを、相違させたものである。【選択図】図２
2015161117.tif 000002
【特許請求の範囲】
【請求項１】
ボウルと、
前記ボウルの上縁部に設けられる通水路と、
前記通水路内に洗浄水を吐出する吐水ユニットと、を具備し、
前記通水路内を通じて前記ボウルに前記洗浄水を供給する水洗便器であって、
前記吐水ユニットは、
前記洗浄水が供給される筒部と、前記筒部の下流側に接続されるノズル部とを備え、
前記ノズル部は、前記筒部から前記洗浄水が流入する流入方向と、前記通水路内に前記洗浄水を吐出する吐出方向とを、相違させたものである水洗便器。
【請求項２】
前記ノズル部を、前記通水路の外周側の内壁面に接触して位置させた請求項１に記載の水洗便器。
【請求項３】
前記ノズル部は、略Ｄ字状、略長方形状又は略楕円形状の開口断面を有する請求項１又は２に記載の水洗便器。
【発明の詳細な説明】
【技術分野】
【０００１】
本発明は、洗浄水をボウル内に供給して汚れを洗い落とす水洗便器に関する。
【背景技術】
【０００２】
従来、水洗便器が備えるボウルの汚れを洗浄水で洗浄するための構造として、ボウルの上縁部に平面視楕円状の通水路を設け、この通水路に洗浄水を吐出する構造が提案されている（特許文献１等参照）。通水路に吐出された洗浄水は、通水路を旋回しながらボウルの底側に供給される。
【先行技術文献】
【特許文献】
【０００３】
【特許文献１】特開平８−１７７１１２号公報
【発明の概要】
【発明が解決しようとする課題】
【０００４】
前記した従来の水洗便器においては、流速を高める吐水ユニットを備えて該吐水ユニットから通水路に洗浄水を吐出させる場合に、この吐水ユニットを、水洗便器の内部のうちメンテナンス容易な位置に配置することが困難であるという課題を有していた。
【０００５】
というのも、吐水ユニットから吐出される洗浄水を、平面視で略楕円状の通水路の接線方向に沿って円滑に吐出させようとすると、この吐水ユニットを、水洗便器の外郭ケースから離れた位置に配する構造となるからである（図８参照）。
【０００６】
吐水ユニットと水洗便器の外郭ケースとの距離が大きくなると、外部から吐水ユニットを取り外す等のメンテナンス作業が困難になる。
【０００７】
本発明は前記課題を解決するもので、流速を高める吐水ユニットを備えて該吐水ユニットから通水路に洗浄水を吐出して円滑に且つ勢い良く旋回させることができ、しかも、吐水ユニットのメンテナンス性を高めることのできる水洗便器を提供することを目的とする。
【課題を解決するための手段】
【０００８】
前記課題を解決するために本発明を、下記構成を具備した水洗便器とする。
【０００９】
本発明は、ボウルと、前記ボウルの上縁部に設けられる通水路と、前記通水路内に洗浄水を吐出する吐水ユニットと、を具備し、前記通水路内を通じて前記ボウルに前記洗浄水を供給する水洗便器である。前記吐水ユニットは、前記洗浄水が供給される筒部と、前記筒部の下流側に接続されるノズル部とを備える。前記ノズル部は、前記筒部から前記洗浄水が流入する流入方向と、前記通水路内に前記洗浄水を吐出する吐出方向とを、相違させたものである。
【００１０】
本発明においては、前記ノズル部を、前記通水路の外周側の内壁面に接触して位置させることが好ましい。
【００１１】
また、本発明において、前記ノズル部は、略Ｄ字状、略長方形状又は略楕円形状の開口断面を有することが好ましい。
【発明の効果】
【００１２】
本発明において、ノズル部は、筒部から洗浄水が流入する流入方向と、該洗浄水を通水路内に吐出する吐出方向とを、相違させたものである。そのため、本発明では、流速を高める吐水ユニットから通水路に洗浄水を吐出して円滑に且つ勢い良く旋回させることができ、しかも、吐水ユニットのメンテナンス性を高めることができるという効果を奏する。
【図面の簡単な説明】
【００１３】
【図１】本発明の第１実施形態の水洗便器の全体構成を概略的に示す鉛直断面図である。
【図２】本発明の第１実施形態の水洗便器の要部を概略的に示す水平断面図である。
【図３】本発明の第１実施形態の水洗便器が備えるノズル部の一部破断斜視図である。
【図４】本発明の第１実施形態の水洗便器が備える筒部の斜視図である。
【図５】本発明の第２実施形態の水洗便器の要部を概略的に示す水平断面図である。
【図６】本発明の第３実施形態の水洗便器が備えるノズル部の一部破断斜視図である。
【図７】本発明の第４実施形態の水洗便器が備えるノズル部の一部破断斜視図である。
【図８】比較例１の水洗便器の要部を概略的に示す水平断面図である。
【図９】比較例２の水洗便器の要部を概略的に示す水平断面図である。
【発明を実施するための形態】
【００１４】
本発明を、添付図面に示す実施形態に基づいて説明する。
【００１５】
図１には、本発明の第１実施形態の水洗便器を概略的に示している。
【００１６】
まず、本実施形態の水洗便器の全体構造について説明する。以下の説明文中において用いる前後等の各方向は、使用者が着座したときの方向を基準とする。
【００１７】
本実施形態の水洗便器は、合成樹脂製の便器１００で主体が構成されている。図中の符合２００は、便器１００に回動自在に設けた便座である。符合３００は、便器１００に回動自在に設けた便蓋である。
【００１８】
便器１００は、上方に開口したボウル１０１と、ボウル１０１の上縁部の全周に亘って設けられる通水路１０２と、ボウル１０１の下部から後方に向けて突設される排水筒１０３とを備える。排水筒１０３には、ターントラップ方式のトラップ筒１０４を接続させている。
【００１９】
便器１００の後部には、洗浄水吐出装置４００を収容している。洗浄水吐出装置４００は、吐水ユニット４０１を備え、吐水ユニット４０１の下流端である吐出口４１２から、通水路１０２内に向けて洗浄水を吐出する。通水路１０２は、ボウル１０１の上縁部の内壁面を外方に凹ませた形状であり、通水路１０２内に吐出された洗浄水はこの通水路１０２内を旋回しながらボウル１０１の底側に流下していく。
【００２０】
洗浄水吐出装置４００は、洗浄水を供給する洗浄水経路４０２と、洗浄水経路４０２に薬剤を合流させるための薬剤供給経路４０３とを備えている。薬剤供給経路４０３中には、タンク４０４とポンプ４０５を設けている。タンク４０４中に貯留される薬剤は、ポンプ４０５の圧力で薬剤供給経路４０３内を循環する。
【００２１】
洗浄水経路４０２には、図示略の水源から水道水が供給される。洗浄水経路４０２の下流端に、吐水ユニット４０１を接続させている。
【００２２】
図２に示すように、吐水ユニット４０１は、洗浄水経路４０２を通じて水道水が供給される筒部４０６と、筒部４０６の下流側に接続されるノズル部４０７とを備える。図４に示すように、筒部４０６は、空気混入部４０８と、空気混入部４０８の下流側に位置する薬剤混入部４０９とを有する。
【００２３】
空気混入部４０８は、筒部４０６内を流れる洗浄水（水道水）に空気を混入して、気泡入りの洗浄水を生成する部分である。空気混入部４０８は、一端を大気に開放する空気供給路４１３の他端を接続させることで、エジェクタ効果によって空気供給路４１３から空気混入部４０８内に空気を供給し、気泡入り洗浄水を生成する。
【００２４】
薬剤混入部４０９には、上方に突出するように筒状の弁収納部４１０を設けている。弁収納部４１０には、薬剤供給経路４０３から分岐した分岐経路４１１の下流端を接続させる（図１参照）。
【００２５】
弁収納部４１０内には、図示略の開閉弁を配置している。この開閉弁は弾性材料で形成した弁体であり、ポンプ４０５を駆動させているときには、ポンプ４０５が付与する圧力により弾性変形して開弁する。この開弁により、薬剤供給経路４０３を循環する薬剤のうち、少量の薬剤が分岐経路４１１を通じて薬剤混入部４０９内に供給される。これに対して、ポンプ４０５を停止させたときには、開閉弁が閉弁するように設けている。
【００２６】
吐水ユニット４０１の吐出口４１２は、筒部４０６に接続したノズル部４０７の下流端開口で構成される（図２参照）。
【００２７】
ノズル部４０７は、筒部４０６を通じて気泡や薬剤が混入された洗浄水を、通水路１０２内に勢い良く吐出させる部材である。図２や図３に示すように、ノズル部４０７は、ノズル部４０７の上流部分であって筒部４０６に接続される上流部４０７ａと、上流部４０７ａの下流側に位置する中間部４０７ｂと、中間部４０７ｂの下流側に位置する下流部４０７ｃとを有する。
【００２８】
上流部４０７ａは、少なくともその下流側の部分が、下流側にいくほど開口面積が徐々に小さくなる形状を有する。下流部４０７ｃは、流れ方向の全域に沿って開口面積が略一定の形状を有する。
【００２９】
中間部４０７ｂは、洗浄水の流れ方向を変える屈折部分であり、中間部４０７ｂを挟んでこれより上流にある上流部４０７ａの軸線Ｌ１と、中間部４０７ｂより下流にある下流部４０７ｃの軸線Ｌ２とが、平面視において角度αだけ交差するように設けている。
【００３０】
これにより、本実施形態では、筒部４０６からノズル部４０７の上流部４０７ａへと洗浄水が流入する流入方向Ｄ１と、ノズル部４０７の下流部４０７ｃから通水路１０２内に洗浄水を吐出する吐出方向Ｄ２とを、相違させている。流入方向Ｄ１は軸線Ｌ１に沿った方向であり、吐出方向Ｄ２は軸線Ｌ２に沿った方向である。
【００３１】
吐水ユニット４０１は、便器１００が備える側部カバー１０５と近接して位置する。側部カバー１０５は、便器１００の側部外郭をなす着脱自在なカバーである。
【００３２】
ノズル部４０７の上流部４０７ａの軸線Ｌ１は、平面視において便器１００の側部カバー１０５と略平行であり、換言すると、洗浄水の流入方向Ｄ１が、平面視において便器１００の側部カバー１０５と略平行である。
【００３３】
ノズル部４０７の下流部４０７ｃの軸線Ｌ２は、平面視において前方にいくほど側部カバー１０５に近づくように傾いており、換言すると、洗浄水の吐出方向Ｄ２が、平面視において前方にいくほど側部カバー１０５に近づくように傾いている。
【００３４】
吐水ユニット４０１の吐出口４１２は、通水路１０２内に位置しており、吐出口４１２から吐出された洗浄水は通水路１０２の内壁に沿って平面視楕円状に旋回し、ボウル１０１の底面上を旋回しながら流下してゆき、汚れを洗い落とす。
【００３５】
吐水ユニット４０１の吐出口４１２及びその周辺箇所において、洗浄水の吐出方向Ｄ２は、平面視にて楕円状をなす通水路１０２の接線方向と略平行である。
【００３６】
そのため、本実施形態の水洗便器においては、ノズル部４０７を通じて勢い良く吐出した洗浄水を、平面視楕円状をなす通水路１０２の内壁に沿って、円滑に且つ勢い良く旋回させることができる。
【００３７】
しかも、吐水ユニット４０１（特に筒部４０６）は、側部カバー１０５との距離が近いため、メンテナンスが容易である。つまり、本実施形態の水洗便器では、側部カバー１０５を取り外すことで内部の吐水ユニット４０１にまで簡単に手を入れることができ、吐水ユニット４０１の着脱作業や交換作業が容易である。
【００３８】
加えて、本実施形態の吐水ユニット４０１では、ノズル部４０７の屈折部である中間部４０７ｂ近傍で気包が溜りやすくなる現象（以下「エア溜り」という。）を抑制するために、中間部４０７ｂから下流部４０７ｃにかけての開口形状を断面Ｄ字状に設けている。
【００３９】
ここでの断面Ｄ字状は、屈折した内側の部分（側部カバー１０５に近い側の部分）の断面形状を一直線状に設け、他の部分の断面形状を円弧状に設けることで、全体をＤ字状とした断面形状である（図３参照）。
【００４０】
図８には、第１比較例の便器装置を示している。
【００４１】
第１比較例では、吐水ユニット１４０１を、本実施形態の筒部４０６と同様の構成を具備する筒部１４０６と、全体を通じて洗浄水の流れ方向が一直線状のノズル部１４０７とで構成している。
【００４２】
第１比較例では、洗浄水の吐出方向を、便器１１００が備える通水路１１０２の接線方向と略平行に設けている。そのため、平面視楕円状をなす通水路１１０２内で洗浄水を円滑に且つ勢い良く旋回させることができる。しかし、第１比較例では、吐水ユニット１４０１全体が、便器１１００が備える側部カバー１１０５から大きく離れた位置にあり、メンテナンス性が悪い構造となっている。
【００４３】
図９には、第２比較例の便器装置を示している。
【００４４】
第２比較例では、吐水ユニット２４０１を、本実施形態の筒部４０６と同様の構成を具備する筒部２４０６と、全体を通じて洗浄水の流れ方向が一直線状のノズル部２４０７とで構成している。
【００４５】
第２比較例では、吐水ユニット２４０１全体を、便器２１００が備える側部カバー２１０５と近接した位置に設けている。これにより、吐水ユニット２４０１のメンテナンス性は良好である。しかし、第２比較例では、洗浄水の吐出方向が通水路２１０２の接線方向に対して大きく傾いており、通水路２１０２から洗浄水が飛び出しやすくなっている。そのため、第２比較例では、平面視楕円状をなす通水路２１０２内で洗浄水を円滑に且つ勢い良く旋回させることが困難である。
【００４６】
第１比較例や第２比較例との対比からも分かるように、本実施形態の水洗便器によれば、吐水ユニット４０１から吐出した洗浄水を通水路１０２内で円滑に且つ勢い良く旋回させることができ、しかも、吐水ユニット４０１のメンテナンス性を高めることができる。
【００４７】
次に、本発明の第２実施形態の水洗便器について、図５に基づいて説明する。なお、第１実施形態と同様の構成については、同一符号を付して説明を省略する。
【００４８】
本実施形態の水洗便器では、吐水ユニット４０１のノズル部４０７を、通水路１０２のうち外周側の内壁面１０２ａと接触するように配している。本実施形態では、ノズル部４０７のうち中間部４０７ｂ及び下流部４０７ｃが通水路１０２内に露出して位置し、このうち少なくとも下流部４０７ｃの一部が、内壁面１０２ａと接触する。
【００４９】
中間部４０７ｂ及び下流部４０７ｃは、第１実施形態と同様に断面Ｄ字状であり、断面が直線状となる部分の外面（即ち外面のうち略平坦な部分）が、内壁面１０２ａと接触する。
【００５０】
次に、本発明の第３実施形態の水洗便器について、図６に基づいて説明する。なお、第１実施形態と同様の構成については、同一符号を付して説明を省略する。
【００５１】
本実施形態の水洗便器では、ノズル部４０７で生じるエア溜りを抑制するために、中間部４０７ｂから下流部４０７ｃにかけての部分の開口形状を、略長方形状に設けている。これにより、ノズル部４０７のうち屈折した内側の部分の断面形状を一直線状に設け、エア溜りを抑制している。
【００５２】
次に、本発明の第４実施形態の水洗便器について、図７に基づいて説明する。なお、第１実施形態と同様の構成については、同一符号を付して説明を省略する。
【００５３】
本実施形態の水洗便器では、ノズル部４０７で生じるエア溜りを抑制するために、中間部４０７ｂから下流部４０７ｃにかけての部分の開口を、略断面楕円形状に設けている。これにより、ノズル部４０７の屈折した内側の部分の形状を、曲率半径の大きな円弧状に設け、エア溜りを抑制している。
【００５４】
以上、添付図面に基づいて説明したように、本発明の第１乃至第４実施形態の水洗便器は、ボウル１０１と、ボウル１０１の上縁部に設けられる通水路１０２と、通水路１０２内に洗浄水を吐出する吐水ユニット４０１と具備する。第１乃至第４実施形態の水洗便器では、この通水路１０２内を通じてボウル１０１に洗浄水を供給する。吐水ユニット４０１は、洗浄水が供給される筒部４０６と、筒部４０６の下流側に接続されるノズル部４０７とを備える。ノズル部４０７は、筒部４０６から洗浄水が流入する流入方向Ｄ１と、通水路１０２内に洗浄水を吐出する吐出方向Ｄ２とを、相違させたものである。
【００５５】
これにより、第１乃至第４実施形態の水洗便器では、流速を高める吐水ユニット４０１から通水路１０２に洗浄水を吐出して円滑に且つ勢い良く旋回させることと、吐水ユニット４０１の外部からのメンテナンス性を高めることが、共に実現される。
【００５６】
また、本発明の実施形態２の水洗便器では、ノズル部４０７を、通水路１０２の外周側の内壁面１０２ａに接触して位置させている。
【００５７】
これにより、吐水ユニット４０１から通水路１０２に洗浄水を吐出して円滑に且つ勢い良く旋回させることと、吐水ユニット４０１の外部からのメンテナンス性も高めることが、更に高い水準で実現される。
【００５８】
また、本発明の第１及び第２実施形態のノズル部４０７は略Ｄ字状の開口断面を有し、第３実施形態のノズル部４０７は略長方形状の開口断面を有し、第４実施形態のノズル部４０７は略楕円形状の開口断面を有する。
【００５９】
これにより、途中で屈折した形状のノズル部４０７内でエア溜りが生じることを抑制することができる。
【００６０】
以上、本発明を添付図面に示す実施形態に基づいて説明したが、本発明は各例の実施形態に限定されるものではない。本発明の意図する範囲内であれば、各例において適宜の設計変更を行うことや、各例の構成を適宜組み合わせて適用することが可能である。
【符号の説明】
【００６１】
１００  便器
１０１  ボウル
１０２  通水路
１０２ａ  内壁面
４０１  吐水ユニット
４０６  筒部
４０７  ノズル部
Ｄ１  流入方向
Ｄ２  吐出方向
【図１】
2015161117.tif 000003
【図２】
2015161117.tif 000004
【図３】
2015161117.tif 000005
【図４】
2015161117.tif 000006
【図５】
2015161117.tif 000007
【図６】
2015161117.tif 000008
【図７】
2015161117.tif 000009
【図８】
2015161117.tif 000010
【図９】
2015161117.tif 000011